(57)【要約】      （修正有）【課題】薬品を貯蔵して輸送するための薬品用タンクに関して、薬品を排出して貯蔵されていない薬品用タンクを回収する際の輸送効率を向上させる。【解決手段】薬品を注入して保存する貯蔵体が外容器４と内容器５の二重構造で、内容器５は外容器４の内外をスライドできる機構を有しており、前記貯蔵体の周囲には内容器と一体としてスライドできるフレーム部３を有する構造となっている。【選択図】図１
2013244982.tif 000002
【特許請求の範囲】
【請求項１】
薬品を貯蔵して輸送するための薬品用タンクに関して、薬品を注入して保存する貯蔵体が外容器と内容器の二重構造で、内容器は外容器の内外をスライドできる機構を有することを特徴とする薬品用タンク。
【請求項２】
薬品を貯蔵して輸送するための薬品用タンクに関して、薬品を注入して保存する貯蔵体と、その貯蔵体の周囲に固定されたフレーム部から構成されており、前記貯蔵体は外容器と内容器の二重構造で、内容器は外容器の内外をスライドできる機構を有しており、前記フレーム部は内容器と一体としてスライドできる機構となっていることを特徴とする薬品用タンク。
【発明の詳細な説明】
【技術分野】
【０００１】
本発明は、薬品用タンクに関し、例えば農薬や医薬品、非水系電解液を貯蔵して輸送するためのタンクに関する。
【背景技術】
【０００２】
これまでの農薬や医薬品などの薬品類や、リチウムイオン二次電池などで用いられる非水系電解液を注入して保存や輸送に供される薬品用タンクには、特許文献１に記載されているように、薬品を貯蔵する本体部材と薬品を密閉する蓋部材と薬品を注入・排出するパイプ部材で構成されている。また、本体部材は円筒の胴部と底板の構成であって各々をアーク溶接で組み付けられており、薬品を注入・排出するパイプ部材は蓋部材に設けられている挿入口から差し込むような構造である。さらに薬品を本体部材内で密閉するために、蓋部材はシール材を介してボルトにて接合されている。
このような薬品用タンクは、次のように「配送」と「回収・返送」の繰り返しである。まず、「配送」は、注入された薬品を容器内に貯蔵した状態で薬品用タンクを目的地に輸送する段階である。次に、「回収・返送」は、容器に貯蔵していた薬品を配送先で別のタンクや容器などの保存設備に排出したあと、タンク内部を洗浄して再び使用するためにカラになった薬品用タンクを輸送する段階である。
【先行技術文献】
【特許文献】
【０００３】
【特許文献１】特許３１６２３２９号公報
【発明の概要】
【発明が解決しようとする課題】
【０００４】
このように、従来から提案されている薬品用タンクの構造では、タンクの返送時は空タンク状態で輸送するため、内容物の薬品を貯蔵していないにも拘らず体積は変わらないので、配送時よりも多くのタンクを運び出せずに非常に効率が悪く、輸送コストが高くなるという問題がある。
【０００５】
そのため、本発明では、返送時には配送時よりも多くの薬品用タンクを運び出せて、輸送コストを低減できる薬品用タンク構造を提供することを目的とする。
【課題を解決するための手段】
【０００６】
本発明の薬品用タンクは、その目的を達成するため、貯蔵体が外容器と内容器の二重構造であり、内容器は外容器の内外をスライドできる機構を有してする。また、貯蔵体の周囲には固定されたフレーム部を備えてもよく、このフレーム部は内容器と一体としてスライドできる機構となっていることを特徴とする。
【発明の効果】
【０００７】
本発明の薬品用タンクにおいては、薬品を注入する貯蔵体の内容器がスライドして外容器の内外で伸縮できる構造となっている。そのため、空タンクとして返送する場合には内容器を外容器内に収納できることから、体積が小さくなりかさばらないので、配送時より多くの薬品用タンクを輸送することが可能である。
また、貯蔵体の周囲には内容器と同じ方向にスライド移動するフレーム部が固定されることから、フレーム部を取っ手として使うことで内容器のスライドを容易にするとともに、貯蔵体の補強の役目を果たすことができる。
【図面の簡単な説明】
【０００８】
【図１】本発明の薬品用タンクの構造を示す模式図で、（ａ）上面図、（ｂ）正面図、（ｃ）側面図
【図２】本発明の貯蔵体の断面模式図
【発明を実施するための最良の形態】
【０００９】
以下、本発明の実施の形態について、図面を参照して詳細に説明する。
図１は、本発明の実施形態に係る薬品用タンク１の構造を示す模式図であり、図２は貯蔵体２の断面模式図である。薬品用タンク１は、薬品を注入して保存する貯蔵体２と、その貯蔵体の周囲のフレーム部３で構成されている。なお、図１、図２とも、内容器を外部に引き出した状態を図示している。
貯蔵体２は、外容器４の内側に内容器５を設置した二重構造であり、内容器５は外容器４の内外をスライドできるように組み立てられている。外容器４の開口部のエッジ周囲にフランジ６ａがあり、内容器５の開口部のエッジ周囲にフランジ６ｂがある。
外容器４のフランジ６ａにはボルト用穴があり、内容器５のフランジ６ｂにはそのボルト用穴と相対する位置に雌ネジ部が設けられている。
貯蔵体２に薬品を注入する場合には、内容器５を外容器４の外側にスライドさせて引き出し、貯蔵体の内容積を大きくし、またフランジ６ａとフランジ６ｂの間にシール材７を介してボルト８を締結することにより貯蔵体２内を密閉する。また、外容器４の上部には、薬品注入・排出口９とフランジ６ｃがあり、シール材７を介して蓋部材１０とボルト８で締結することにより密閉する。そのボルト８は、フランジ６ｃに設けた雌ネジ部と、蓋部材１０には雌ネジ部と相対する位置に設けたボルト用穴を通して取り付けられる。
【００１０】
また、フレーム部３は、スライドするスライド軸１１とそれをガイドする軸受１２、および内容器５に固定されたフレーム１３から構成される。これにより、内容器５を安定してスライドできるとともに、移動や輸送する際の補強とすることができる。
【００１１】
これらの薬品用タンク１の貯蔵体２やフレーム部３の素材は、特に規定しないが、輸送時の何らかの外圧に耐えることができるように強度が比較的高い鉄鋼材料であることが好ましく、耐食性も考慮するとステンレス鋼を用いることが、より好ましい。ステンレス鋼の種類としては、強度や耐食性を確保できれば、オーステナイト系ステンレス鋼やフェライト系ステンレス鋼、マルテンサイト系ステンレス鋼の何れを用いても良い。
【実施例】
【００１２】
図１に示した薬品用タンク１として、貯蔵体２を構成する外容器４は、一辺が４００ｍｍの四角形で、内容器５のスライド方向の長さ１０００ｍｍとし、また内容器５は、外径３００ｍｍで長さ４００ｍｍの２体とした。スライド軸１１は外径５０ｍｍの丸パイプで、フレーム１３は一辺が５０ｍｍの断面四角形の角パイプで構成した。材質は、何れもオースナイト系ステンレス鋼のＳＵＳ３０４であり、フランジ６ａ、６ｂ、６ｃ以外の部材は板厚を２ｍｍで、フランジ６ａ、６ｂ、６ｃは板厚４ｍｍとした。
外容器４は、板材を曲げ加工して端面の突合せ部をＴＩＧ溶接し、さらに両端の開口部には、一辺が４００ｍｍの四角形で中心に外径３０５ｍｍの穴があるフランジ６ａをＴＩＧ溶接で接合した。
【００１３】
内容器５も、板材を円筒形に曲げ加工して端面の突合せ部をＴＩＧ溶接し、一方端には外径３００ｍｍの板材をＴＩＧ溶接で接合するとともに、他方端には内径２９６ｍｍで外径３７０ｍｍのフランジ６ｂをＴＩＧ溶接で接合した。内容器５のフランジ６ｂにはＭ６の雌メジ部を６箇所設け、外容器４のフランジ６ａにはその雌ネジ部に相対する位置にΦ９ｍｍのボルト用穴を設けた。
フレーム部３は、軸受１２を外容器４にＴＩＧ溶接で接合し、フレーム１３は内容器５の周囲にＴＩＧ溶接で接合した。
【００１４】
また、外容器４の上面には、薬品注入・排出穴９として直径３０ｍｍの穴を設け、その穴と中心を合わせて外径５０ｍｍ、内径が３０ｍｍのフランジ６ｃをＴＩＧ溶接で接合した。そのフランジ６ｃには、Ｍ６の雌メジ部を６箇所設け、蓋部材１０にはその雌ネジ部に相対する位置にΦ９ｍｍのボルト用穴を設けた。
【００１５】
２体の内容器５を外容器４の外側方向へランジ６ａとフランジ６ｂが衝突するまでスライドさせて引き出し、フランジ６ａとフランジ６ｂの間にシール材７を介してＭ６のボルト８で締結した。その後、貯蔵体２内に六フッ化燐酸リチウムをベースとしたリチウムイオン電池用電解液を８０リットル注入し、その後、外容器４のフランジ６ｃにシール材７を介して蓋部材１０をＭ６のボルト８で接合した。シール材７には、ポリプロピレン製のものを用いた。
【００１６】
上記の要領で薬品用タンク１を１０体用意し、六フッ化燐酸リチウムをベースとしたリチウムイオン電池用電解液を注入・貯蔵した。この薬品用タンク１をトラックに積み、夜間に８時間かけて約５００ｋｍ離れた電池製造工場へ運搬した。このとき、１台のトラックには、薬品用タンク１を６体しか搭載できなかった。
電池製造工場では薬品用タンク１から電解液を抜き取ったあと、フランジ６ａとフランジ６ｂを締結していたボルト８を外して、外容器４と内容器５の内部を観察した。その結果、薬品用タンク１に、変形や液漏れなどの異常は認められなかった。
返送・回収にあたっては、内容器５を外容器４の内部に収納した。貯蔵体２がコンパクトになることにより、電池製造工場から電解液製造工場へ返送するトラックには、１２体分の薬品用タンク１を搭載することができた。
【産業上の利用可能性】
【００１７】
本発明にかかる薬品用タンクは、薬品を貯蔵する貯蔵体が外容器と内容器の二重構造であり、内容器をスライドさせて外容器の内部に収納できる構造であることにより、かさばらずコンパクトになる。そのため、薬品用タンクの返送・回収時には配送時よりも多数の薬品用タンクを輸送できるので効率的でありコスト面で有利である。
【符号の説明】
【００１８】
１  薬品用タンク
２  貯蔵体
３  フレーム部
４  外容器
５  内容器
６ａ、６ｂ、６ｃ  フランジ
７  シール材
８  ボルト
９  薬品注入・排出口
１０  蓋部材
１１  スライド軸
１２  軸受
１３  フレーム
【図１】
2013244982.tif 000003
【図２】
2013244982.tif 000004